(57)【要約】【課題】ウォームアップ処理の完了時に定着部材を設定温度に正確に合わせる。【解決手段】発熱手段７３による定着ローラ７２の加熱前に、第１の温度検出手段７４の検出結果と第２の温度検出手段７５の検出結果と予め記憶する発熱手段７３による定着ローラ７２の加熱速度とに基づいて通過領域Ｒ１が実行可能温度となる際の非通過領域Ｒ２の温度である目標温度を算出する第１工程と、第２の温度検出手段７５の検出結果が第１工程にて算出された目標温度を示すまで発熱手段７３によって定着ローラ７２を加熱する第２工程とを行う。【選択図】図４
2009288501.tif 000002
【特許請求の範囲】
【請求項１】
発熱手段によって加熱可能な定着部材と加圧部材とによって形成されたニップ部にて記録媒体上のトナー像を加熱及び加圧することによって記録媒体に定着させる定着手段を備える画像形成装置であって、
前記定着部材の前記記録媒体が通過する領域である通過領域が晒される雰囲気温度を検出する第１の温度検出手段と、
前記定着部材の前記記録媒体が通過しない領域である非通過領域の温度を直接検出する第２の温度検出手段と、
前記トナー像を定着させる工程を実行可能な温度である実行可能温度に前記定着部材の通過領域を加熱するウォームアップ処理を行う制御手段と
を備え、
前記ウォームアップ処理において前記制御手段は、
前記発熱手段による前記定着部材の加熱前に、前記第１の温度検出手段の検出結果と前記第２の温度検出手段の検出結果と予め記憶する前記発熱手段による前記定着部材の加熱速度とに基づいて前記通過領域が前記実行可能温度となる際の前記非通過領域の温度である目標温度を算出する第１工程と、
前記第２の温度検出手段の検出結果が第１工程にて算出された前記目標温度を示すまで前記発熱手段によって前記定着部材を加熱する第２工程と
を行う
ことを特徴とする画像形成装置。
【請求項２】
前記発熱手段は、前記定着部材の前記通過領域の範囲に対応して配置されていることを特徴とする請求項１記載の画像形成装置。
【発明の詳細な説明】
【技術分野】
【０００１】
本発明は、画像形成装置に関するものである。
【背景技術】
【０００２】
複写機等の画像形成装置では、電源投入時、省エネルギモード解除時、あるいはジャム処理完了時等のタイミングにて、画像形成可能な状態にするためのウォームアップ処理を行う。また、画像形成装置では、例えば一対のローラ対（定着ローラと加圧ローラ）を有する定着手段にて、ローラ対にて形成されるニップ部にて記録媒体上のトナー像を加熱及び加圧することによって記録媒体に定着させている。
そして、このような画像形成装置では、上記ウォームアップ処理によって、定着ローラが、トナー像の定着可能な温度に加熱される。
【０００３】
画像形成装置においては、定着ローラの温度を検出するための温度検出センサを備えており、当該温度検出センサの検出結果に基づいてウォームアップ処理における定着ローラの加熱を行っている。
このような温度検出センサは、定着ローラの記録媒体が通過する領域（通過領域）から所定距離離間して配置されたり、定着ローラの記録媒体が通過しない領域（非通過領域）に接触して配置される。
【０００４】
なお、実際にトナー像の加熱及び加圧を行うのは定着ローラの上記通過領域である。このため、確実なトナー像の定着を行うためには、定着ローラの通過領域の温度を知る必要がある。
そして、温度検出センサが定着ローラの通過領域から所定距離離間して配置される場合には、定着ローラの通過領域が晒される雰囲気の温度を温度検出センサにて検出し、この検出結果及び予め記憶する温度検出センサから通過領域までの離間距離等に基づいて定着ローラの通過領域の温度を求めている。
また、温度検出センサが定着ローラの非通過領域に接触して配置される場合には、定着ローラの非通過領域の温度を温度検出センサにて検出し、この検出結果及び予め記憶する非通過領域から通過領域までの距離等に基づいて定着ローラの通過領域の温度を求めている。
【特許文献１】特開２００１−１５９８５９号公報
【特許文献２】特開平１０−２６９０１号公報
【発明の開示】
【発明が解決しようとする課題】
【０００５】
しかしながら、定着ローラの通過領域が晒される雰囲気の温度は、定着ローラの通過領域の温度が変化した場合に、その温度変化に対する応答性が悪い。つまり、定着ローラの温度が変化した場合に、その温度変化が雰囲気に反映されるまでには、ある程度時間が必要となる。一方でウォームアップ処理は、画像形成の開始可能時間を少しでも早くするために短時間で完了することが望まれ、ウォームアップ処理における定着ローラの加熱は急激に行われることが一般的である。このため、温度検出センサが定着ローラの通過領域から所定距離離間して配置された場合には、ウォームアップ処理の過程において、定着ローラの通過領域の温度を正確に求めることが難しい。
【０００６】
また、定着ローラの通過領域の温度と非通過領域の温度とは、様々な条件によって、常に一定の関係を示すとは限らない。例えば、ウォームアップ処理の過程では、一般的にエネルギ効率の観点から定着ローラの通過領域が積極的に加熱され、非通過領域が同様に加熱されないため、通過領域の温度が相対的に高く、非通過領域の温度が相対的に低くなる。一方で、ウォームアップ処理の前あるいは後においては、通過領域から非通過領域に伝熱されて徐々に雰囲気温度に均衡していくため、通過領域の温度と非通過領域の温度が近づく。このため、温度検出センサを定着ローラの非通過領域に接触させた場合であっても、定着ローラの通過領域の温度を正確に求めることが難しい。
【０００７】
このように従来の画像形成装置では、定着ローラの通過領域の温度を正確に求めることが難しく、ウォームアップ処理の完了時に定着ローラの通過領域の温度を目標温度に合わせることが難しい。このため、定着ローラの通過領域の温度が目標温度に対して高かったり低かったりすることによる画像形成不良を招く虞がある。
【０００８】
本発明は、上述する問題点に鑑みてなされたもので、ウォームアップ処理の完了時に定着部材を設定温度に正確に合わせることを目的とする。
【課題を解決するための手段】
【０００９】
本発明は、上記課題を解決するための手段として、以下の構成を採用する。
【００１０】
第１の発明は、発熱手段によって加熱可能な定着部材と加圧部材とによって形成されたニップ部にて記録媒体上のトナー像を加熱及び加圧することによって記録媒体に定着させる定着手段を備える画像形成装置であって、上記定着部材の上記記録媒体が通過する領域である通過領域が晒される雰囲気温度を検出する第１の温度検出手段と、上記定着部材の上記記録媒体が通過しない領域である非通過領域の温度を直接検出する第２の温度検出手段と、上記トナー像を定着させる工程を実行可能な温度である実行可能温度に上記定着部材の通過領域を加熱するウォームアップ処理を行う制御手段とを備え、上記ウォームアップ処理において上記制御手段が、上記発熱手段による上記定着部材の加熱前に、上記第１の温度検出手段の検出結果と上記第２の温度検出手段の検出結果と予め記憶する上記発熱手段による上記定着部材の加熱速度とに基づいて上記通過領域が上記実行可能温度となる際の上記非通過領域の温度である目標温度を算出する第１工程と、上記第２の温度検出手段の検出結果が第１工程にて算出された上記目標温度を示すまで上記発熱手段によって上記定着部材を加熱する第２工程とを行うという構成を採用する。
【００１１】
第２の発明は、上記第１の発明において、上記発熱手段が、上記定着部材の上記通過領域の範囲に対応して配置されているという構成を採用する。
【発明の効果】
【００１２】
本発明によれば、ウォームアップ処理において発熱手段による定着部材の加熱を開始する前に、第１の温度検出手段によって定着部材の記録媒体が通過する領域である通過領域が晒される雰囲気温度が検出され、第２の温度検出手段によって定着部材の記録媒体が通過しない領域である非通過領域の温度が直接検出され、第１の温度検出手段の検出結果と第２の温度検出手段の検出結果と予め記憶される発熱手段による定着部材の加熱速度とに基づいて通過領域が実行可能温度となる際の非通過領域の温度である目標温度が算出される。
【００１３】
ここで、ウォームアップ処理における発熱手段による定着部材の加熱を開始する前においては、定着部材の加熱が行われていないため、定着部材の温度変化が少なく、雰囲気環境の温度が定着部材の通過領域の温度に応答した状態となっている。このため、第１の温度検出手段の検出結果から発熱手段による定着部材の加熱を開始する前における、通過領域の正確な温度を算出することができる。また、第２の温度検出手段の結果から発熱手段による定着部材の加熱を開始する前における非通過領域の正確な温度を算出することができる。一方で発熱手段による定着部材の加熱速度は、通過領域の温度と非通過領域の温度との関係に依存せず一定である。
このため、加熱前の通過領域の正確な温度、加熱前の非通過領域の正確な温度、及び定着部材の加熱速度から、通過領域を実行可能温度とした場合における非通過領域の温度（すなわち目標温度）を算出することができる。つまり、本発明によれば、通過領域が実行可能温度となる際の非通過領域の温度である目標温度を正確に算出することができる。
【００１４】
そして、本発明においては、第２の温度検出手段の検出結果が上述のようにして算出された目標温度を示すまで発熱手段による定着部材の加熱が行われる。
ここで、目標温度は、非通過領域の温度が当該目標温度となった時点で通過領域の温度が正確に実行可能温度となるように算出されている。このため、第２の温度検出手段の検出結果が目標温度を示すまで定着部材を加熱することによって通過領域を実行可能温度とすることができる。
したがって、本発明によれば、ウォームアップ処理の完了時に定着部材を設定温度に正確に合わせることが可能となる。
【発明を実施するための最良の形態】
【００１５】
以下、図面を参照して、本発明に係る画像形成装置の一実施形態について説明する。なお、以下の図面において、各部材を認識可能な大きさとするために、各部材の縮尺を適宜変更している。また、以下の説明においては、本発明の画像形成装置の一例として、複写機を挙げて説明する。
【００１６】
図１は、本実施形態の複写機Ｓ１（画像形成装置）の機能構成を示すブロック図である。また、図２は、複写機Ｓ１の概略構成を模式的に示す断面図である。
図１に示すように、複写機Ｓ１は、表示操作部１、画像読取部２、画像記憶部３、画像処理部４、印刷部５及び制御部６を備えている。
【００１７】
表示操作部１は、ユーザと複写機Ｓ１とを関係付けるマンマシンインタフェースとして装置の前面に設置される（図２においては不図示）ものであり、タッチパネル１ａ及び操作キー１ｂを備えている。
タッチパネル１ａは、表示面に抵抗膜方式等の透明な面状押圧センサを設けた表示パネルであり、ユーザに提供する情報の表示を行うと共に、ユーザの操作に基づく操作信号を出力する。
操作キー１ｂは、例えば電源ボタンやコピー開始ボタン等の、タッチパネル１ａに表示される操作ボタン以外の操作キー（ハードウェアキー）であり、ユーザの操作に基づく操作信号を出力する。
【００１８】
画像読取部２は、制御部６から入力される制御指令に基づいて、ＡＤＦ（Auto Document Feeder）によって自動給紙される原稿あるいはプラテンガラス上に載置された原稿の画像をラインセンサで読み取って原稿画像データに変換するものであり、この原稿画像データを出力するものである。
この画像読取部２は、図２に示すように、複写機Ｓ１の上部を構成するものである。そして、上記表示操作部１は、例えば、画像読取部２の近傍に配置される。
なお、画像読取部２は、独自に制御部を備えている。そして、画像読取部２の制御部が、メインの制御部６の指示に基づいて画像読取部２の構成要素の制御を行う。
【００１９】
図１に戻り、画像記憶部３は、半導体メモリあるいはハードディスク装置等であり、制御部６から入力される制御指令に基づいて、画像読取部２から入力される上記原稿画像データを記憶すると共に当該原稿画像データを読み出して出力する。
【００２０】
画像処理部４は、制御部６から入力される制御指令に基づいて、画像記憶部３から入力される原稿画像データを印刷形式の画像データに変換して出力するものであり、必要に応じて原稿画像データに各種画像処理を施して印刷形式の画像データに変換する。
【００２１】
印刷部５は、制御部６から入力される制御指令に基づいて用紙カセット７ａ，７ｂあるいは給紙トレー８（図２参照）から給紙される印刷用紙（記録媒体）に印刷（画像形成）を行うものであり、図２に示すように、複写機Ｓ１の略中央部を構成している。
この印刷部５は、図２に示すように、感光体ドラム１０、帯電器２０、レーザスキャニングユニット３０、現像装置４０、クリーニングユニット５０、及び定着器７０（定着手段）を備えている。また、印刷部５は、独自に制御部８０（図１参照）を備えている。そして、印刷部５の制御部８０（制御手段）が、メインの制御部６の指示に基づいて印刷部５の構成要素（感光体ドラム１０、帯電器２０、レーザスキャニングユニット３０、現像装置４０、クリーニングユニット５０、及び定着器７０等）の制御を行う。
【００２２】
感光体ドラム１０は、円柱に形状設定されると共に図２の紙面奥行き方向に延在して配置されており、その周面に静電潜像及び該静電潜像に基づくトナー像が形成されると共に該トナー像を印刷用紙に転写するものである。
帯電器２０は、感光体ドラム１０に対して対向配置されており、感光体ドラム１０の周面を帯電状態とするものである。
レーザスキャニングユニット３０は、感光体ドラム１０の上方に配置されており、印刷形式の画像データに基づいて射出されるレーザ光を感光体ドラム１０の周面において走査するものである。
そして、帯電器２０によって感光体ドラム１０の周面が帯電され、レーザスキャニングユニット３０によって帯電された感光体ドラム１０の周面にレーザ光が走査されることで、感光体ドラム１０の周面に、印刷形式の画像データに基づく静電潜像が形成される。
【００２３】
現像装置４０は、感光体ドラム１０の周面に対してトナーを供給することによって感光体ドラム１０の周面上に静電潜像に基づく画像を現像するものであり、感光体ドラム１０に対向配置される。
【００２４】
クリーニングユニット５０は、感光体ドラム１０から印刷用紙にトナー像が転写された後に、感光体ドラム１０に残存するトナーを除去するものであり、感光体ドラム１０に対向配置される。
【００２５】
定着器７０は、熱及び圧力を加えることによって、トナー像を印刷用紙に対して定着させるものであり、印刷用紙の搬送経路であって、現像装置４０の後流側に配置されている。
図３は、定着器７０の概略構成を模式的に示した断面図である。また、図４は、定着器７０の概略構成を模式的に示した平面図である。これらの図に示すように、定着器７０は、加圧ローラ７１（加圧部材）と、定着ローラ７２（定着部材）と、ヒータ７３（発熱手段）とを備えている。
【００２６】
加圧ローラ７１は、樹脂等の可撓性を有する材料によって形成されるローラである。また、定着ローラ７２は、金属等の硬い材料によって形成されるローラである。そして、これらの加圧ローラ７１の周面と定着ローラ７２との周面とが当接され、周面同士が当接された領域にニップ部Ｎが形成されている。これらの加圧ローラ７１と定着ローラ７２とは、ギアユニットを介して単一の駆動モータと接続されており、駆動モータの回転動力を伝達されることによって逆回転される。
そして、図４に示すように、定着ローラ７２の中央部が印刷用紙が通過する通過領域Ｒ１とされ、定着ローラ７２の端部が印刷用紙が通過しない非通過領域Ｒ２とされている。
【００２７】
ヒータ７３は、定着ローラ７２の内部に挿通されており、印刷部５の制御部８０の指示に基づいて発熱可能とされている。
このヒータ７３は、図４に示すように、定着ローラ７２の通過領域Ｒ１の範囲に対応し、定着ローラ７２の長さ方向（定着ローラ７２の延在方法）において通過領域Ｒ１の範囲にのみ配置されている。
【００２８】
このように構成された定着器７０においては、ヒータ７３が発熱し、さらにニップ部Ｎに印刷用紙を狭持していない状態にて、加圧ローラ７１及び定着ローラ７２が回転駆動される（すなわち加圧ローラ７１が定着ローラ７２に対して移動される）ことによって、ヒータ７３の熱量が定着ローラ７２を介して加圧ローラ７１に伝熱される。この結果、加圧ローラ７１が加熱される。
【００２９】
そして、定着器７０は、定着ローラ７２が所定の温度（印刷用紙上のトナー像を定着する工程を実行可能な温度（実行可能温度））に加熱された状態で、ニップ部Ｎにて印刷用紙上のトナー像を加熱及び加圧することによってトナー像を印刷用紙に定着させる。
【００３０】
また、定着器７０は、定着ローラ７２の通過領域Ｒ１が晒される雰囲気温度を検出する第１の温度検出センサ７４と、定着ローラ７２の非通過領域Ｒ２の温度を直接検出する第２の温度検出センサ７５とを備えている。
第１の温度検出センサ７４は、定着ローラ７２の通過領域Ｒ１が晒される雰囲気温度を検出可能なように、定着ローラ７２の通過領域Ｒ１から所定距離だけ離間されている。なお、後述の印刷制御部８０に記憶されている。
第２の温度検出センサ７５は、定着ローラ７２の非通過領域Ｒ２の温度を直接検出可能なように、定着ローラ７２の非通過領域Ｒ２に接触されて配置されている。
【００３１】
そして、このように構成された印刷部５においては、帯電器２０によって感光体ドラム１０の表面が帯電され、この帯電された感光体ドラム１０に対してレーザスキャニングユニット３０にてレーザ光を照射することによって感光体ドラム１０に静電潜像を形成する。その後、当該静電潜像を現像装置４０によって現像し、現像されたトナー像を印刷用紙に転写した後、定着器７０にてトナー像を印刷用紙に定着させることによって印刷が行われる。
【００３２】
図１に戻り、印刷部５の制御部８０（以下、印刷制御部８０と称する）は、上述のようにメインの制御部６の指示に基づいて、感光体ドラム１０、帯電器２０、レーザスキャニングユニット３０、現像装置４０、クリーニングユニット５０、及び定着器７０等の制御を行う。
【００３３】
また、本実施形態の複写機Ｓ１において印刷制御部８０は、制御部６からの指示に基づいて、ウォームアップ処理を行う。このウォームアップ処理は、複写機Ｓ１の電源投入時、省エネルギモード解除時、あるいはジャム処理完了時等のタイミングにて、画像形成可能な状態にするための処理である。
このウォームアップ処理のなかで、印刷制御部８０は、ヒータ７３による定着ローラ７２の加熱前に、第１の温度検出センサ７４の検出結果と第２の温度検出センサ７５の検出結果と予め記憶するヒータ７３による定着ローラ７２の加熱速度とに基づいて通過領域Ｒ１が実行可能温度となる際の非通過領域Ｒ２の温度である目標温度を算出する第１工程と、第２の温度検出センサ７５の検出結果が第１工程にて算出された目標温度を示すまでヒータ７３によって定着ローラ７２を加熱する第２工程とを行う。
【００３４】
ここで、横軸を定着ローラ７２の非通過領域Ｒ２の温度とし、縦軸を通過領域Ｒ１の温度とした、図５に示す座標系を用いて印刷制御部８０が行う上記工程について説明する。
【００３５】
定着ローラ７２の通過領域Ｒ１の温度と非通過領域Ｒ２の温度とは、様々な条件によって、常に一定の関係を示すとは限らない。つまり、ウォームアップ処理を開始するのにあたっての通過領域Ｒ１の温度と非通過領域Ｒ２の温度とは、ウォームアップ処理のタイミングによって異なる。
例えば、ヒータ７３にて定着ローラ７２を加熱する場合には、通過領域Ｒ１が積極的に加熱され、非通過領域Ｒ２が同様に加熱されないため、図５のグラフＡに示すように、通過領域Ｒ１の温度と非通過領域Ｒ２の温度との差が大きくなる。一方で、ヒータ７３によって定着ローラ７２が加熱されてからある程度時間が経つと、通過領域Ｒ１の温度と非通過領域Ｒ２の温度とが均衡して、図５のグラフＢに示すように、通過領域Ｒ１の温度と非通過領域Ｒ２の温度との差がなくなる。つまり、通過領域Ｒ１の温度と非通過領域Ｒ２の温度とは、ヒータ７３による定着ローラ７２の加熱の直後は図５に示すグラフＡに近い関係を示し、徐々に図５に示すグラフＢに近い関係となる。そして、この温度の移行過程においては種々の条件により通過領域Ｒ１と非通過領域Ｒ２との温度変化が一定になるとは限らない。
このため、ウォームアップ処理の開始タイミングによって、通過領域Ｒ１の温度と非通過領域Ｒ２の温度とは、グラフＡとグラフＢとに挟まれた領域の全ての温度関係のいずれかを示す。
【００３６】
これに対して、本実施形態の複写機Ｓ１において印刷制御部８０は、ヒータ７３による定着ローラ７２の加熱前に、第１の温度検出センサ７４の検出結果と第２の温度検出センサ７５の検出結果と予め記憶するヒータ７３による定着ローラ７２の加熱速度とに基づいて通過領域Ｒ１が実行可能温度となる際の非通過領域Ｒ２の温度である目標温度を算出する（第１工程）。
【００３７】
より詳細には、印刷制御部８０は、第１の温度検出センサ７４の検出結果と、予め記憶する第１温度検出センサ７４から通過領域Ｒ１までの距離等に基づいて、通過領域Ｒ１の温度を算出する。ここで、このような通過領域Ｒ１の温度算出は、ヒータ７３による定着ローラ７２の加熱前に行われるため、通過領域Ｒ１が晒される雰囲気が通過領域Ｒ１に応答した温度となっている。このため、正確に通過領域Ｒ１の温度を算出することができる。
続いて、印刷制御部８０は、第２の温度検出センサ７５の検出結果に基づいて非通過領域Ｒ２の温度を算出する。なお、第２の温度検出センサ７５は、非通過領域Ｒ２に直接接触している。このため、正確に非通過領域Ｒ２の温度を算出することができる。
このように、通過領域Ｒ１の温度及び非通過領域Ｒ２の温度を正確に算出することによって、通過領域Ｒ１の温度と非通過領域Ｒ２の温度との関係が、図５に示すグラフＡとグラフＢとに挟まれた領域の何処に在るかを正確に把握することができる。
そして、印刷制御部８０は、予めヒータ７３によって定着ローラ７２を加熱する場合の加熱速度（すなわち図５のグラフＡの傾き）を記憶しているため、通過領域Ｒ１が実行可能温度（図５に示すＴＲ１）となる際の非通過領域Ｒ２の温度である目標温度（図５に示すＴＲ２）を算出できる。
【００３８】
例えば、実行可能温度が２００℃であり、上述のように把握した通過領域Ｒ１の温度が１８０℃、非通過領域Ｒ２の温度が１００℃である場合（図５に示す点ａ）には、目標温度は１１０℃となる。
一方で、実行可能温度が同様に２００℃であり、上述のように把握した通過領域Ｒ１の温度が１００℃、非通過領域Ｒ２の温度が１００℃である場合（図５に示す点ｂ）には、目標温度は１５０℃となる。
【００３９】
次に、印刷制御部８０は、上述のようにして算出した目標温度ＴＲ２を第２の温度検出センサ７５の検出結果が示すまでヒータ７３によって定着ローラ７２を加熱する（第２工程）。
これによって、第２の温度検出センサ７５が目標温度ＴＲ２を示した場合には、通過領域Ｒ１が正確に実行可能温度となる。
【００４０】
図１に戻り、制御部６は、本実施形態の複写機Ｓ１の全体の制御を行うものである。表示操作部１、画像読取部２、画像記憶部３、画像処理部４及び印刷部５と電気的に接続されている。
【００４１】
以上のような構成を有する複写機Ｓ１においては、ウォームアップ処理が完了した後は、制御部６の制御の下、ユーザの表示操作部１の操作に基づいて、画像読取部２にセットされた原稿の画像データが読み込まれ、読み込まれた画像データが画像記憶部３に記憶される。画像記憶部３に記憶された画像データは、画像処理部４において印刷形式の画像データに変換され印刷部５に入力する。そして、印刷部５では、画像処理部４から入力された印刷形式の画像データに基づいて印刷用紙への画像形成が行われる。その後、画像が形成された印刷用紙が印刷物として複写機Ｓ１の外部に排出される。
【００４２】
このような、本実施形態の複写機Ｓ１によれば、ウォームアップ処理においてヒータ７３による定着ローラ７２の加熱を開始する前に、第１の温度検出センサ７４によって定着ローラの通過領域Ｒ１が晒される雰囲気温度が検出され、第２の温度検出センサ７５によって定着ローラ７２の非通過領域Ｒ２の温度が直接検出され、第１の温度検出センサ７４の検出結果と第２の温度検出センサ７５の検出結果と予め記憶されるヒータ７３による定着ローラ７２の加熱速度とに基づいて通過領域Ｒ１が実行可能温度ＴＲ１となる際の非通過領域Ｒ２の温度である目標温度ＴＲ２が算出される。
【００４３】
ここで、ウォームアップ処理におけるヒータ７３による定着ローラ７２の加熱を開始する前においては、定着ローラ７２の加熱が行われていないため、定着ローラ７２の温度変化が少なく、雰囲気環境の温度が定着ローラ７２の通過領域Ｒ１の温度に応答した状態となっている。このため、第１の温度検出センサ７４の検出結果からヒータ７３による定着ローラ７２の加熱を開始する前における、通過領域Ｒ１の正確な温度を算出することができる。また、第２の温度検出センサ７５の結果からヒータ７３による定着ローラ７２の加熱を開始する前における非通過領域Ｒ２の正確な温度を算出することができる。一方でヒータ７３による定着ローラ７２の加熱速度は、通過領域Ｒ１の温度と非通過領域Ｒ２の温度との関係に依存せず一定である。
このため、加熱前の通過領域Ｒ１の正確な温度、加熱前の非通過領域Ｒ２の正確な温度、及び定着ローラ７２の加熱速度から、通過領域Ｒ１を実行可能温度ＴＲ１とした場合における非通過領域Ｒ２の温度ＴＲ２（すなわち目標温度）を算出することができる。つまり、本実施形態の複写機Ｓ１によれば、通過領域Ｒ１が実行可能温度ＴＲ１となる際の非通過領域Ｒ２の温度である目標温度ＴＲ２を正確に算出することができる。
【００４４】
そして、本実施形態の複写機Ｓ１においては、第２の温度検出センサ７５の検出結果が上述のようにして算出された目標温度ＴＲ２を示すまでヒータ７３による定着ローラ７２の加熱が行われる。
ここで、目標温度ＴＲ２は、非通過領域Ｒ２の温度が当該目標温度ＴＲ２となった時点で通過領域Ｒ１の温度が正確に実行可能温度ＴＲ１となるように算出されている。このため、第２の温度検出センサ７５の検出結果が目標温度ＴＲ２を示すまで定着ローラ７２を加熱することによって通過領域Ｒ１を実行可能温度ＴＲ１とすることができる。
したがって、本実施形態の複写機Ｓ１によれば、ウォームアップ処理の完了時に定着ローラ７２を設定温度に正確に合わせることが可能となる。
【００４５】
以上、本発明の実施形態について図面を参照して詳説したが、具体的な構成は、上記実施形態に限定されるものではなく、本発明の要旨を逸脱しない範囲において設計変更等が可能である。
【００４６】
例えば、上記実施形態においては、本発明の画像形成装置の一例として複写機を挙げて説明した。
しかしながら、画像形成装置がファクシミリや複合機等であっても良い。
また、色ごとの感光体ドラム１０を備える、いわゆるタンデム方式の複写機に本発明を適用することもできる。
【００４７】
また、本発明の画像形成装置は、感光体ドラムに現像されたトナー像を一旦中間転写体に転写し、当該中間転写体から記録用紙にトナー像を転写する複写機に適用することもできる。
【００４８】
また、本発明の加圧部材は、加圧ローラに限られるものではなく、加圧ベルトであっても良い。
また、本発明の定着部材は、定着ローラに限られるものではなく、定着ベルトであっても良い。
また、本発明の発熱手段は、定着ローラの内部に配置されている必要はなく、定着ローラの外部に配置されていても良い。
【図面の簡単な説明】
【００４９】
【図１】本発明の一実施形態における複写機の機能構成を示すブロック図である。
【図２】本発明の一実施形態における複写機の概略構成を模式的に示す断面図である。
【図３】本発明の一実施形態における複写機が備える定着器の概略構成を模式的に示した断面図である。
【図４】本発明の一実施形態における複写機が備える定着器の概略構成を模式的に示した平面図である。
【図５】本発明の一実施形態における複写機が備える印刷制御部のウォームアップ処理の際の動作を説明するためのグラフである。
【符号の説明】
【００５０】
Ｓ１……複写機（画像形成装置）、７０……定着器（定着手段）、７１……加圧ローラ（加圧部材）、７２……定着ローラ（定着部材）、７３……ヒータ（発熱手段）、８０……印刷制御部（制御手段）
【図１】
2009288501.tif 000003
【図２】
2009288501.tif 000004
【図３】
2009288501.tif 000005
【図４】
2009288501.tif 000006
【図５】
2009288501.tif 000007